(57)【要約】【課題】本発明は押圧キャップのワンタッチ操作によって容器からキャップを簡便に開閉できるようにしたワンタッチ式方式でキャップが開閉操作される化粧品容器を提供する。【解決手段】本発明は、内容物を収容する収容空間１１が形成され、開口部１２の外周面に係止突条１４が形成された容器１０と、前記容器に対してワンタッチ方式で開閉操作されるキャップ２０とを含んでなり、前記キャップ２０は、弾性部材６０によって弾支され、かつ昇降誘導キャップ４０及び昇降誘導キャップの内部に設けられたノック部材５０によって昇降作動が規制される押圧キャップ７０をタッチすることで、一側がヒンジ方式で結合された一つ以上の開閉操作具８０が開閉操作されて前記容器１０の係止突条１４に対する係止力を維持するか喪失することになる構成によって容器１０から分離されるか結合されるように構成することにより、容器１０に対するキャップ２０の開閉操作を非常に便利で簡便に行える利点を提供する。【選択図】図４
2019501675.tif 000002
【特許請求の範囲】
【請求項１】
内容物を収容する収容空間（１１）が形成され、開口部（１２）の外周面に係止突条（１４）が形成された容器（１０）と、
前記容器に対してワンタッチ方式で開閉操作されるキャップ（２０）とを含んでなり、
前記キャップ（２０）は、弾性部材（６０）によって弾支され、かつ昇降誘導キャップ（４０）及び昇降誘導キャップの内部に設けられたノック部材（５０）によって昇降作動が規制される押圧キャップ（７０）をタッチすることで、一側がヒンジ方式で結合された一つ以上の開閉操作具（８０）が開閉操作されて前記容器（１０）の係止突条（１４）に対する係止力を維持するか喪失することになる構成によって容器（１０）に対して結合されるか分離されるように構成されることを特徴とする、ワンタッチ方式でキャップが開閉操作される化粧品容器。
【請求項２】
前記キャップ（２０）は、前記容器（１０）の開口部上端を気密にする内部気密キャップ（３０）と、前記内部気密キャップの上部に結合固定される昇降誘導キャップ（４０）と、前記昇降誘導キャップの内部に弾性部材（６０）によって弾支されるノック部材（５０）と、前記ノック部材に結合固定され、係止リブ（７４）を有する押圧キャップ（７０）と、前記押圧キャップの内部に一つ以上に分割されて配置され、内部気密キャップの支持片（３４）に一側がヒンジ方式で結合され、前記係止リブに強制的に係止される第１係止段部（８３ａ）が形成され、前記容器の開口部の外周面に形成された係止突条（１４）に係止されるか解除される第２係止段部（８３ｂ）が形成された開閉羽（８３）を有する開閉操作具（８０）と、前記押圧キャップの外部にカバーするように結合される外部キャップ（９０）とを含んでなり、これらは単一組立体に構成され、容器（１０）に対して一体に結合されるか分離されることを特徴とする、請求項１に記載のワンタッチ方式でキャップが開閉操作される化粧品容器。
【請求項３】
前記昇降誘導キャップ（４０）は、その内周面に傾斜ガイド面（４２ａ）を有する回転誘導片（４２）が形成され、前記回転誘導片の間には係止深みの相異なる第１及び第２ガイド溝（４３、４４）が順次配設され、前記第２ガイド溝には係止段（４４ａ）が形成され、
ノック部材（５０）は、前記昇降誘導キャップ（４０）の貫通孔（４１）を通じて上端の一部が外部に貫通するように挿入される回転支持具（５２）、及び弾性部材（６０）によって弾支されるとともに前記回転支持具に対して相対的に回転可能に組み立てられるカム部材（５１）を含んでなり、前記カム部材及び回転支持具には、係止長の相異なる第１及び第２ガイド突起（５１ａ、５２ａ）が形成され、
前記容器（１０）に対して前記キャップ（２０）がロックされている状態ではカム部材（５１）の第１ガイド突起（５１ａ）が昇降誘導キャップ（４０）の第２ガイド溝（４４）の係止段（４４ａ）に係止されて押圧キャップ（７０）の上昇作動を抑制するようにし、一方、容器に対するキャップのロックが解除されれば、回転支持具（５２）によってカム部材（５１）が一方向に回転するにつれて第１ガイド突起（５１ａ）が回転支持具の第２ガイド突起（５２ａ）と一緒に昇降誘導キャップの第１ガイド溝（４３）を通じて上昇するようにして押圧キャップ（７０）に対する上昇抑制が解除されるように構成されることを特徴とする、請求項１又は２に記載のワンタッチ方式でキャップが開閉操作される化粧品容器。
【請求項４】
前記容器（１０）の開口部（１２）の上端外周面とこれと対応する開閉操作具（８０）の対応面には結合突起（１６、８４）を対応するようにさらに形成され、これらが噛み合うように結合して容器（１０）に対してキャップ（２０）がロックされている状態では容器（１０）又はキャップ（２０）の勝手な回転作動ができないように構成されることを特徴とする、請求項１に記載のワンタッチ方式でキャップが開閉操作される化粧品容器。
【請求項５】
前記内部気密キャップ（３０）には、容器（１０）の開口部（１２）の上端内周面を気密にするための気密短管（３１）と開口部（１２）の上面を気密にするための気密リング（３２）が選択的に又は同時に形成されることを特徴とする、請求項２に記載のワンタッチ方式でキャップが開閉操作される化粧品容器。
【請求項６】
前記外部キャップ（９０）の下端内周面にはカバーリング（９１）がさらに結合固定されることを特徴とする、請求項２に記載のワンタッチ方式でキャップが開閉操作される化粧品容器。
【請求項７】
前記押圧キャップ（７０）の押圧部（７１）の上面には名板（７５）を装着するための装着凹部（７１ａ）がさらに形成されることを特徴とする、請求項１又は２に記載のワンタッチ方式でキャップが開閉操作される化粧品容器。
【請求項８】
前記容器（１０）は外部及び内部容器（１０ａ、１０ｂ）の二重構造に形成されることを特徴とする、請求項１に記載のワンタッチ方式でキャップが開閉操作される化粧品容器。
【請求項９】
前記弾性部材（６０）は圧縮コイル形態のスプリングであることを特徴とする、請求項１又は２に記載のワンタッチ方式でキャップが開閉操作される化粧品容器。
【発明の詳細な説明】
【技術分野】
【０００１】
本発明はクリームなどの液状タイプだけでなく固体状タイプのような各種の内容物を入れて使うことができる化粧品容器に関するもので、より詳しくは押圧キャップのワンタッチ操作によってキャップを容器に対して簡便に開閉することができるようにして、化粧品容器の使用によるキャップの開閉操作の便利性を提供するためのワンタッチ方式でキャップが開閉操作される化粧品容器に関するものである。
【背景技術】
【０００２】
一般に、化粧品のような各種の内容物を入れて使う容器は、内容物を収容する容器と、容器に収容された内容物を安全に保護するとともに使用可能になるように開閉するキャップとに区分される。容器に対して開閉されるキャップは内容物の種類、形態又は用途によって多様な開閉方式を採用している。その例として、螺合方式のキャップが主に使われている。
【０００３】
このようなネジ方式のキャップ結合構造は、結合構造の単純性にもかかわらず、いつもキャップを掴んで開閉しなければならないという煩わしさがあり、特にキャップの回転操作による滑りを防止するための別個の構造を採用する必要がある。また、内容物の種類によって、例えばクリームタイプの化粧品の場合にはもっと滑りやすくて開閉動作が難しいことがあり、キャップを開閉する過程で化粧品がキャップに付く場合、非衛生的な問題を引き起こすこともできる。
【０００４】
また、その外にも、特許文献１から分かるように、内部キャップの両側に備えられたプッシュボタンを手で掴んで押圧する方式でキャップを容器に対して開閉するようにする安全キャップも提示されている。しかし、特許文献１に提示された安全キャップは従来のネジ開閉方式のキャップ構造に比べては一層進歩したものであると言えるが、二つのプッシュボタンを掴んで同時に押圧しなければならない不便さがあり、しかもプッシュボタンの押圧によって外部キャップがスプリングの反力によって上昇した状態で内部キャップを人為的に持ち上げることにより、内部キャップの環状取付リングが弾性部によって外側に折り曲げられ、容器の開口部に形成された環状固定リングから強制的に分離される構造であるため、キャップの開閉操作が多少煩わしくて不便であり、特に内部キャップに形成された環状取付リングが弾性部によって強制的に折り曲げられる構造であるため、キャップの頻繁な開閉操作によって弾性係止力の弱化又は破損のおそれを避けにくいという構造的な問題を内包している。
【先行技術文献】
【特許文献】
【０００５】
【特許文献１】韓国実用新案２００４３７２１４号公報
【発明の概要】
【発明が解決しようとする課題】
【０００６】
本発明は前記のような従来技術の問題点を解決するために発明したもので、本発明の目的は、押圧キャップをワンタッチ方式で簡便に押圧操作することで、押圧キャップの内部に備えられた一つ以上の開閉操作片が同時に容器の開口部に対する係止力を喪失又は修復する動作でキャップを開閉操作して、キャップの開閉操作を一層便利で簡便に行えるようにしたワンタッチ方式でキャップが開閉操作される化粧品容器を提供することにある。
【課題を解決するための手段】
【０００７】
前記のような目的を達成するための本発明は、内容物を収容する収容空間が形成され、開口部の外周面に係止突条が形成された容器と、前記容器に対してワンタッチ方式で開閉操作されるキャップとを含んでなり、前記キャップは、弾性部材によって弾支され、かつ昇降誘導キャップ及び昇降誘導キャップの内部に設けられたノック部材によって昇降作動が規制される押圧キャップをタッチすることで、一側がヒンジ方式で結合された一つ以上の開閉操作具が開閉操作されて前記容器の係止突条に対する係止力を維持するか喪失することになる構成によって容器に対して結合されるか分離されるように構成されることにその技術的な特徴がある。
【０００８】
本発明によると、前記キャップは、前記容器の開口部上端を気密にする内部気密キャップと、前記内部気密キャップの上部に結合固定される昇降誘導キャップと、前記昇降誘導キャップの内部に弾性部材によって弾支されるノック部材と、前記ノック部材に結合固定され、係止リブを有する押圧キャップと、前記押圧キャップの内部に一つ以上に分割されて配置され、内部気密キャップの支持片に一側がヒンジ方式で結合され、前記係止リブに強制的に係止される第１係止段部が形成され、前記容器の開口部の外周面に形成された係止突条に係止されるか解除される第２係止段部が形成された開閉羽を有する開閉操作具と、前記押圧キャップの外部にカバーするように結合される外部キャップとを含んでなり、これらは単一組立体に構成され、容器に対して一体に結合されるか分離されることにその技術的な特徴がある。
【０００９】
本発明によると、前記昇降誘導キャップは、その内周面に傾斜ガイド面を有する回転誘導片が形成され、前記回転誘導片の間には係止深みの相異なる第１及び第２ガイド溝が順次配設され、前記第２ガイド溝には係止段が形成され、ノック部材は、前記昇降誘導キャップの貫通孔を通じて上端の一部が外部に貫通するように挿入される回転支持具、及び弾性部材によって弾支されるとともに前記回転支持具に対して相対的に回転可能に組み立てられるカム部材を含んでなり、前記カム部材及び回転支持具には、係止長の相異なる第１及び第２ガイド突起が形成され、容器に対してキャップがロックされている状態ではカム部材の第１ガイド突起が昇降誘導キャップの第２ガイド溝の係止段に係止されて押圧キャップの上昇作動を抑制するようにし、一方容器に対するキャップのロックが解除されれば、回転支持具によってカム部材が一方向に回転するにつれて第１ガイド突起が回転支持具の第２ガイド突起と一緒に昇降誘導キャップの第１ガイド溝を通じて上昇するようにして押圧キャップに対する上昇抑制が解除されるように構成されることにその技術的な特徴がある。
【００１０】
本発明によると、前記容器の開口部の上端外周面とこれと対応する開閉操作具の対応面には結合突起を対応するようにさらに形成され、これらが噛み合うように結合して容器に対してキャップがロックされている状態では容器又はキャップの勝手な回転作動ができないように構成されることにその技術的な特徴がある。
【００１１】
本発明によると、前記内部気密キャップには、容器の開口部の上端内周面を気密にするための気密短管と開口部の上面を気密にするための気密リングが選択的に又は同時に形成されることにその技術的な特徴がある。
【００１２】
本発明によると、前記外部キャップの下端内周面にはカバーリングがさらに結合固定されることにその技術的な特徴がある。
【００１３】
本発明によると、前記押圧キャップの押圧部の上面には名板を装着するための装着凹部がさらに形成されることにその技術的な特徴がある。
【００１４】
本発明によると、前記容器は外部及び内部容器の二重構造に形成されることにその技術的な特徴がある。
【００１５】
本発明によると、前記弾性部材は圧縮コイル形態のスプリングであることを特徴とする。
【発明の効果】
【００１６】
本発明によると、ワンタッチ方式でキャップを開閉操作するので、容器に対するキャップの開閉操作をそれによって迅速で容易にかつ簡便に行えるものであり、よって化粧品容器の使用便利性を大幅に増大させることができる効果を提供することになる。
【図面の簡単な説明】
【００１７】
【図１】本発明による化粧品容器の組立斜視図である。
【図２】本発明による化粧品容器の分解斜視図である。
【図３】本発明による昇降維持キャップ及びノック部材の分解斜視図である。
【図４】本発明による化粧品容器のロック状態を示した側断面図である。
【図５】本発明による化粧品容器のロック解除状態を示した側断面図である。
【図６】図４の“Ａ”部の拡大断面図である。
【図７】図５の“Ｂ”部の拡大断面図である。
【図８】本発明による昇降誘導キャップの底面図である。
【図９】本発明による昇降誘導キャップの内部でノック部材が上昇する前の底面図である。
【図１０】本発明による昇降誘導キャップの内部でノック部材が上昇した後の底面図である。
【図１１】本発明によるキャップが容器から分離された状態の組立側断面図である。
【発明を実施するための形態】
【００１８】
以下、添付図面を参照して本発明によるワンタッチ方式でキャップが開閉操作される化粧品容器について説明する。
【００１９】
図１〜図１０を参照すると、本発明によるワンタッチ方式でキャップが開閉操作される化粧品容器１００は、大別して、各種形態の内容物を収容する収容空間１１が一方向に開放されるように形成された容器１０と、前記容器の開口部１２の上端に対してワンタッチ方式で開閉操作されるキャップ２０とを含んでなる。
【００２０】
前記容器１０の開口部１２の上端外周縁に係止突条１４が突設されている。また、開口部の上端外周面には全面にわたって鋸歯又は三角突起、又はこれと類似した各種形態の結合突起１６が垂直に形成されている。
【００２１】
前記容器１０は内容物の種類によって単一体の形態になることもでき、図面に示したように、外部容器１０ａと内部容器１０ｂの二重構造に形成されることもできる。
【００２２】
容器１０が外部及び内部容器１０ａ、１０ｂの二重構造になる場合、内部容器は人為的に分離させない限り、外部容器の上端に一体に結合された状態が維持されるように堅く結合固定されることが好ましい。
【００２３】
そして、容器１０の開口部１２の上端に形成される結合突起１６は、容器が外部及び内部容器の二重構造になる場合、容器の結合構造上、内部容器１０ｂの上端外周面に形成されることができる。
【００２４】
キャップ２０は単一組立体になって前記容器１０から開閉操作されるもので、内部気密キャップ３０、昇降誘導キャップ４０、昇降誘導キャップの内部に弾性部材６０によって弾支されるノック部材５０、前記ノック部材に結合固定される押圧キャップ７０、開閉操作具８０及び押圧キャップの外部に結合支持される外部キャップ９０を組み立てることによって構成され、これらの全てが前記容器１０に対して一体に結合されるか分離される構造になっている。
【００２５】
内部気密キャップ３０は、容器１０に対するキャップ２０の閉鎖操作の時、容器１０の開口部１２の上端を気密にするもので、その下面には、容器１０の開口部１２の上端内周面に密着して嵌め合わせられる気密短管３１が下方に延設され、また周縁部の下面には容器の開口部上面に気密に密着する弾性素材の気密リング３２が一体に結合固定されている。
【００２６】
また、内部気密キャップ３０の上面中央には上側が開放された形態の支持短管３３が一体に延設されており、支持短管の外側にはヒンジ溝３４ａを有する一つ以上の支持片３４が一定間隔で配設されている。
【００２７】
昇降誘導キャップ４０は前記内部気密キャップ３０の支持短管３３に一体に結合固定される。そして、昇降誘導キャップは、後述するノック部材５０の一方向回転及び昇降を誘導するために、一方向に開放された中空状に構成される。一方向に開放された側の反対側の中央には貫通孔４１が形成され、開放された内周面には下端に一方向に傾くように傾斜ガイド面４２ａが形成された複数の回転誘導片４２が一定間隔で配設されており、前記回転誘導片の間には、図８のように、第１ガイド溝４３及び第２ガイド溝４４が順次配設され、第２ガイド溝には係止段４４ａが下部に形成されている。
【００２８】
ノック部材５０は昇降誘導キャップ４０の内部に弾性部材６０によって弾支されるように組み立てられる。
【００２９】
前記ノック部材５０は、下部が弾性部材６０によって弾支されるカム部材５１と、前記カム部材が相対的に回転可能に結合支持される回転支持具５２とを含んでなる。前記カム部材の下端外周面には複数の第１ガイド突起５１ａが形成され、また回転支持具の下端外周面にも複数の第２ガイド突起５２ａがそれぞれ形成されている。そして、前記カム部材５１に形成された第１ガイド突起５１ａの上面には一方向に傾くように回転ガイド面５１ｂがそれぞれ形成され、また前記回転支持具５２の下面には前記回転ガイド面５１ｂと同一の勾配角になって互いに噛み合う鋸歯５２ｂが連続的に形成されている。
【００３０】
前記昇降誘導キャップ４０及びノック部材５０は、容器１０に対するキャップ２０のロック及び解除作動の時、後述する押圧キャップ７０の昇降状態を適正に規制する作用をする。
【００３１】
前記カム部材５１及び回転支持具５２に形成された第１及び第２ガイド突起５１ａ、５２ａはその突出長が違うように形成されることができる。
【００３２】
すなわち、カム部材５１に形成された第１ガイド突起５１ａは図１０のように昇降誘導キャップ４０の第１ガイド溝４３に沿ってのみ昇降移動が可能な長さを有し、前記回転支持具５２に形成された第２ガイド突起５２ａは前記第２ガイド溝４４の係止段４４ａに係止されないほどの長さを有することにより、第１ガイド溝４３及び第２ガイド溝４４に対して垂直に昇降可能になる。
【００３３】
したがって、カム部材５１に形成された第１ガイド突起５１ａは図１０のように回転支持具５２の第２ガイド突起５２ａと一緒に第１ガイド溝４３に沿ってのみ昇降され、カム部材５１の第１ガイド突起５１ａが第２ガイド溝４４に位置する場合には、図９のように、その下端部４４ａに係止されて昇降が阻止され、回転支持具５２に形成された第２ガイド突起５２ａのみが第２ガイド溝４４に沿って昇降するようになる。
【００３４】
前記ノック部材５０を弾支する弾性部材６０はノック部材を常に上方に押し上げようとする弾性力を発揮するもので、その機能の達成が可能な形態であれば、形態及び素材に制限されないが、圧縮コイル形態のスプリングが最も好ましい。
【００３５】
押圧キャップ７０は内部気密キャップ３０をカバーするようにその上部に結合される。このような押圧キャップは一方向に開放された形態を有し、中央部に向かって上向きに湾曲するように形成された押圧部７１と前記押圧部の周縁部の下方に伸びた側部７２とを含んでなり、前記押圧部の内部には下方に結合短管７３が延設されている。したがって、押圧キャップ７０は、前記結合短管７３を前記ノック部材５０の回転支持具５２に一体に結合することにより、ノック部材と一緒に押圧されることができるように結合支持される。
【００３６】
そして、押圧キャップ７０の側部７２の内周面には係止リブ７４が一定間隔を置いて形成されている。係止リブ７４は、図面に示したように、一定間隔を置いて多数に分割形成されることが好ましいが、単一形態に形成されることもできる。
【００３７】
前記押圧キャップ７０の押圧部７１の上面には会社のログ、製品名、広告文句などを示すための名板７５を付着することができる凹部７１ａが形成されている。
【００３８】
次に、開閉操作具８０について説明する。開閉操作具は一つ以上に分割形成される。また、連結部８１を中心に一側端部には内部気密キャップ３０の各支持片３４に形成されたヒンジ溝３４ａに挿合されるヒンジピン８２が形成されており、また前記連結部の他側には開閉羽８３が折り曲げられている。前記開閉羽の外周面上側には、前記押圧キャップ７０の側部７２の内周面に形成された係止リブ７４に強制的に係止されるか解除される第１係止段部８３ａが形成され、開閉羽の下端内周面には、容器１０の係止突条１４に対して強制的に係止されるか解除される第２係止段部８３ｂが形成されている。
【００３９】
そして、前記開閉操作具８０の開閉羽８３の内周面には、容器１０の開口部１２の上端外周面に形成された結合突起１６と互いに結合される対応結合突起８４が形成されている。
【００４０】
前記開閉操作具８０の開閉羽８３に形成された結合突起８４と容器１０の開口部の上端外周面に形成された結合突起１６の相互結合により、容器１０は勝手な回転操作ができないように組み立てられることができる。
【００４１】
外部キャップ９０は、押圧キャップ７０の昇降操作ができるように、その外側に結合される。前記外部キャップは最終にキャップ２０を容器から分離させるときに手で握る部分でもある。押圧キャップに組み立てられる外部キャップは、その下端部が、図４から確認できるように、容器１０の下端の一部までカバーするように構成されることが好ましい。
【００４２】
そして、前記押圧キャップの外側をカバーするように結合される外部キャップは押圧キャップの昇降操作ができるように結合されることが好ましい。
【００４３】
前記外部キャップ９０は、下端の内部に結合固定されるカバーリング９１をさらに含むことができる。
【００４４】
前記カバーリング９１は、押圧キャップ７０が昇降操作できるように結合される外部キャップ９０が下方に必要以上に移動することを防止し、また押圧キャップの内部に備えられた開閉操作具８０が外部から見えないようにカバーする役目も遂行する。
【００４５】
したがって、カバーリング９１は外部キャップ９０と一緒に容器１０から分離されるか結合されるものである。
【００４６】
前記のように構成される本発明のワンタッチ方式でキャップが開閉操作される化粧品容器１００の組立状態について図３を参照して説明する。
【００４７】
外部容器１０ａの内部に内部容器１０ｂの下端を挿入する。この時、その上端を強制的に結合固定することによって容器１０は単一体に構成され、外部容器に対して内部容器を強制的に分離させない限りは分離されない。もちろん、容器が二重構造ではない場合には前述した内部及び外部容器の組立作業は当然省略される。
【００４８】
次に、キャップ２０の組立状態について説明すると、内部気密キャップ３０の上面の支持短管３３の内部に、ノック部材５０が弾性部材６０によって弾支されるように組み立てられた昇降誘導キャップ４０を挿入して固定する。そして、前記内部気密キャップ３０の各支持片３４には開閉操作具８０をそれぞれ組み立てて固定する。このような状態で、前記昇降誘導キャップ４０の貫通孔４１の外部に露出されたノック部材５０の回転支持具５２に対して押圧キャップ７０の結合短管７３を結合固定する。そして、押圧キャップ７０の外側に外部キャップ９０を結合するとともにその下端の内周面にはカバーリング９１を一体に組み立てて固定する。
【００４９】
ここで、前述したキャップ２０の組立順序は一つの組立例を説明したもので、これに特定されず、その組立方法はいくらでも変更可能であるのは言うまでもない。
【００５０】
したがって、キャップ２０は単一体に組み立てられて固定されるもので、容器１０に対して一体に結合されるか分離されることができるものである。
【００５１】
次に、本発明のワンタッチ方式でキャップが開閉操作される化粧品容器１００の作用状態について説明する。
【００５２】
図４は容器１０に対してキャップ２０がロックされている状態を示す。この場合には、押圧キャップ７０が外部キャップ９０に対して下方に押し込まれた状態を維持している。押圧キャップが下方に押し込まれることにより、ノック部材５０も下方に押圧されて移動された状態であり、これらを支持している弾性部材６０は強制的に圧縮された状態を維持している。そして、ノック部材５０のカム部材５１の第１ガイド突起５１ａが昇降誘導キャップ４０の第２ガイド溝４４の下端に形成された係止段４４ａに係止された状態を維持しており、これにより下方に押し込まれている押圧キャップ７０は勝手に上昇することができなくなる。
【００５３】
そして、前記のように押圧キャップ７０が下方に押し込まれている状態では、カム部材５１の第１ガイド突起５１ａに形成された回転ガイド面５１ｂと回転支持具５２の下面に形成された鋸歯５２ｂは互いにずれた状態を維持している。
【００５４】
また、開閉操作具８０は、内部気密キャップ３０の各支持片３４に形成されたヒンジ溝３４ａにヒンジピン８２が離脱しないように挿入されている状態で、開閉羽８３のおよそ下端外側が押圧キャップ７０の側部７２の内周面に形成された係止リブ７４によって強制的に押圧されており、これによりその下端内周面に形成された第２係止段部８３ｂが容器１０の開口部１２の外周面形成された係止突条１４に強制的に係止されている。
【００５５】
したがって、キャップ２０は、開閉操作具８０の開閉羽８３が押圧キャップ７０の係止リブ７４によって強制的に押圧されるとともに、開閉羽８３の下端内周面に形成された第２係止段部８３ｂが容器１０の開口部１２の外周面に形成された係止突条１４に強制的に係止されているため、容器１０に対して閉められた状態を安定的に維持するようになる。
【００５６】
そして、図４のように、容器１０に対してキャップ２０が閉められた状態では、開閉操作具８０の開閉羽８３が係止リブ７４によって容器の係止突条１４の方向に強制的に押圧されているため、開閉羽の内周面に形成された結合突起８４が前記容器の開口部外周面に対応して形成された結合突起１６と噛み合うように結合されているので、容器１０又はキャップ２０を一方向に回転操作しても回転ができなくなる。
【００５７】
また、内容物を収容する容器１０の収容空間１１は、開口部１２の上端内周面と上面が内部気密キャップ３０に形成された気密短管３１と気密リング３２によって堅く気密になるため、化粧品容器の携帯保管時に内容物の漏洩や漏出を防止することができるようになる。
【００５８】
このような状態で、容器１０の収容空間１１に収容された内容物を使うためにキャップ２０を開放しようとする場合には、まず、図４の状態で押圧キャップ７０の押圧部７１を１次的に押圧することで、昇降誘導キャップ４０の係止段４４ａに係止されているカム部材５１の第１ガイド突起５１ａを離脱させる。すると、カム部材５１の第１ガイド突起５１ａの回転ガイド面５１ｂと回転支持具５２の鋸歯５２ｂが互いにずれていてから噛み合いながらカム部材５１が一方向に強制的に回転することになり、同時に前記カム部材５１は第１ガイド突起５１ａに形成された回転ガイド面５１ｂが回転誘導片４２の傾斜ガイド面４２ａに沿って速かに回転して昇降誘導キャップ４０の第１ガイド溝４３の位置に回転することになる。
【００５９】
一方、前記のように押圧キャップ７０が１次的に押し込まれても、開閉操作具８０の開閉羽８３は押圧キャップの側部７２の内周面に備えられた係止リブ７４によって押圧された状態を維持しているため、キャップ２０は容器１０から分離されない。
【００６０】
そして、カム部材５１の第１ガイド突起５１ａが昇降誘導キャップ４０の第１ガイド溝４３の位置に移動した状態で、押圧キャップ７０に対する押圧力を解除すれば、圧縮状態にあった弾性部材６０の反発力によってノック部材５０と押圧キャップ７０が自動的に上昇することになる。
【００６１】
すなわち、押圧キャップ７０はノック部材５０によって上昇抑制状態が解除され、同時に図４のようにノック部材５０の回転支持具５２に形成された第２ガイド突起５２ａも昇降誘導キャップ４０の第１ガイド溝４３の最上端の係止位置まで上昇することになる。そして、押圧キャップ７０が上昇するに従い、これに備えられた係止リブ７４も一緒に上昇して開閉操作具８０の開閉羽８３の外周面に形成された第１係止段部８３ａに強制的に面接触し、係止リブ７４が第１係止段部８３ａに係止された状態で押圧キャップ７０が上昇するため、支持片３４のヒンジ溝３４ａに挿入されたヒンジピン８２を中心に開閉羽８３の下端部が外側に広がるとともにその内周面に形成された第２係止段部８３ｂが容器１０の開口部１２の外周面に形成された係止突条１４から強制的に離脱されることによって係止力を喪失することになる。
【００６２】
したがって、キャップ２０は、前記押圧キャップ７０の上昇移動に連動して前記開閉操作具８０の開閉羽８３が外側に広がることによって容器１０に対する係止力を喪失することになる。このような状態で、外部キャップ９０を掴んで上方に持ち上げれば、図１１のように、容器１０からキャップ２０が分離されることができ、キャップ２０の分離によって容器の収容空間１１が開放されることにより、その内部に収容された内容物が使えるようになる。
【００６３】
そして、キャップ２０が容器１０から最終に分離されても、開閉操作具８０は押圧キャップ７０が弾性部材６０によって上方に上昇した状態を維持しているため、開閉羽８３も図１１のようにその下端が外側に広がって開放された状態を維持するようになる。
【００６４】
一方、内容物の使用が完了し、再びキャップ２０で容器１０を閉めようとする場合には、図１１の状態で、図５のようにキャップ２０を容器１０の開口部１２の上側に位置させた後、押圧キャップ７０の押圧部７１を再び押圧することにより、押圧キャップ７０及びノック部材５０が弾性部材６０を再び押し付けながら下降し、同時に昇降誘導キャップ４０の第１ガイド溝４３に沿って下降移動するカム部材５１の第１ガイド突起５１ａは回転支持部５２の鋸歯５２bと噛み合い、回転誘導片４２の傾斜ガイド面４２ａに沿って再び昇降誘導キャップ４０の第２ガイド溝４４の位置に回転移動して係止段４４ａに係止される。
【００６５】
そして、開閉操作具８０の開閉羽８３も押圧キャップ７０の側部７２の内周面に備えられた係止リブ７４によって再びその下端部が内側に強制的に押圧され、第２係止段部８３ｂが容器１０の係止突条１４に強制的に結合される一連の連携動作によって再び容器１０に結合され、容器の収容空間１１は内部気密キャップ３０によって再び気密に結合される。
【００６６】
したがって、本発明は、弾性部材６０によって弾支され、かつ昇降誘導キャップ４０及び昇降誘導キャップの内部に設けられるノック部材５０によって昇降作動が規制される押圧キャップ７０をタッチすることで、一側が支持片３４にヒンジ方式で結合された一つ以上の開閉操作具８０が開閉操作されて前記容器１０の係止突条１４に対する係止力を維持又は喪失することになる作用により、容器１０からキャップ２０が簡便に分離されるか結合されるようになるものである。
【００６７】
たとえ、本発明に添付された図面を参照して説明したが、本発明はこれに限定されるものではなく、下記の特許請求範囲を逸脱しない範疇内で多くの修正及び変更が可能であるのは言うまでもない。
【図１】
2019501675.tif 000003
【図２】
2019501675.tif 000004
【図３】
2019501675.tif 000005
【図４】
2019501675.tif 000006
【図５】
2019501675.tif 000007
【図６】
2019501675.tif 000008
【図７】
2019501675.tif 000009
【図８】
2019501675.tif 000010
【図９】
2019501675.tif 000011
【図１０】
2019501675.tif 000012
【図１１】
2019501675.tif 000013
【国際調査報告】
2019501675.tif 000014
2019501675.tif 000015
2019501675.tif 000016
2019501675.tif 000017